(57)【要約】【課題】本発明は、輸送される荷物に付して使用される無線装置の消費電力を低減可能な技術を提供することを目的とする。【解決手段】無線装置２は、出発地から到着地に輸送される荷物１０に付すための無線装置２であって、荷物１０が輸送中であるかを推定するための情報を出力するセンサ部２４と、無線装置２を識別する装置識別子を送信する通信部２１と、到着地に荷物１０が到着する予定である到着予定時刻より前の時刻であるセンサ起動時刻を記憶するための記憶部２５と、現在時刻がセンサ起動時刻に一致するとセンサ部２４を休止状態から動作状態に遷移させ、センサ部２４から入力された情報から荷物が到着したと推定された場合に通信部を休止状態から動作状態に遷移させる処理部３０とを有する。【選択図】図１
2020021420.tif 000002
【特許請求の範囲】
【請求項１】
出発地から到着地に輸送される荷物に付すための無線装置であって、
前記荷物が輸送中であるかを推定するための情報を出力するセンサ部と、
前記無線装置を識別する装置識別子を送信する通信部と、
到着地に荷物が到着する予定である到着予定時刻より前の時刻であるセンサ起動時刻を記憶するための記憶部と、
現在時刻が前記センサ起動時刻に一致すると前記センサ部を休止状態から動作状態に遷移させ、前記センサ部から入力された情報から前記荷物が到着したと推定された場合に前記通信部を休止状態から動作状態に遷移させる処理部と、を有する
ことを特徴とする無線装置。
【請求項２】
前記通信部は、前記センサ起動時刻を示す情報を受信し、
前記記憶部は、前記情報が示すセンサ起動時刻を記憶し、
前記処理部は、前記通信部が前記情報を受信したことに応じて、前記通信部を動作状態から休止状態に遷移させる、請求項１に記載の無線装置。
【請求項３】
前記通信部は、通信可能な周波数を示す報知信号を基地局から受信し、前記周波数または、報知信号で指示された周波数を使用して前記装置識別子を送信する、
請求項１又は２に記載の無線装置。
【請求項４】
前記センサ部は気圧センサを含み、気圧の変化に基づいて前記荷物を輸送する航空機の着陸を検出し、着陸の検出に基づいて荷物の到着を推定する、請求項１から３のいずれか１項に記載の無線装置。
【請求項５】
前記センサ部は加速度センサを含み、加速度の変化に基づいて前記荷物を輸送する航空機の着陸を検出し、着陸の検出に基づいて荷物の到着を推定する、請求項１から４のいずれか１項に記載の無線装置。
【請求項６】
出発地から到着地に輸送される荷物に付される無線装置と、通信可能に接続されるサーバであって、
前記荷物の持ち主の旅程情報と、前記荷物に付される前記無線装置の装置識別子と、前記持ち主の連絡先とを関連付けて記憶するためのサーバ記憶部と、
前記旅程情報に含まれる到着予定時刻に基づいて、前記到着予定時刻よりも前の時刻であるセンサ起動時刻を生成するサーバ処理部と、
前記センサ起動時刻を、前記装置識別子により識別される無線装置に宛てて送信するサーバ通信部と、を備え、
前記サーバ通信部は、前記無線装置から基地局を経由して前記装置識別子を含む情報を受信し、前記サーバ処理部は、前記情報に含まれる基地局の情報に基づいて前記無線装置の現在地を推定し、前記サーバ通信部は更に、前記推定した現在地を前記連絡先に宛てて送信する、サーバ。
【請求項７】
前記サーバ処理部が推定した前記無線装置の現在地が、前記旅程情報に含まれる目的地に略一致している場合に、
前記サーバ通信部は、前記無線装置に宛てて、前記無線装置を動作状態から休止状態に遷移させる休止指示を送信する、
請求項６に記載のサーバ。
【請求項８】
出発地から到着地に輸送される荷物に付すための無線装置と、前記無線装置と通信可能に接続されるサーバと、を含むシステムであって、
前記サーバは、
前記荷物の持ち主の旅程情報と、前記荷物に付される前記無線装置の装置識別子と、前記持ち主の連絡先とを関連付けて記憶するためのサーバ記憶部と、
前記旅程情報に含まれる到着予定時刻に基づいて、前記到着予定時刻よりも前の時刻であるセンサ起動時刻を生成するサーバ処理部と、
前記センサ起動時刻を、前記装置識別子により識別される無線装置に宛てて送信するサーバ通信部とを備え、
前記無線装置は、
前記荷物が輸送中であるかを推定するためのセンサ部と、
前記無線装置を識別する装置識別子を送信する無線装置通信部と、
到着地に荷物が到着する予定である到着予定時刻より前の時刻であるセンサ起動時刻を記憶するための無線装置記憶部と、
現在時刻が前記センサ起動時刻に一致すると前記センサ部を休止状態から動作状態に遷移させ、前記センサ部から入力された情報から前記荷物が到着したと推定された場合に前記無線装置通信部を休止状態から動作状態に遷移させる処理部と、を有し、
サーバ通信部は、前記無線装置から基地局を経由して前記装置識別子を含む情報を受信し、前記サーバ処理部は、前記情報に含まれる前記基地局の情報に基づいて前記無線装置の現在地を推定し、前記サーバ通信部は更に、前記推定した現在地を前記連絡先に宛てて送信する、
システム。
【発明の詳細な説明】
【技術分野】
【０００１】
本発明は、無線装置、サーバ及びシステムに関する。
【背景技術】
【０００２】
航空機等により輸送される旅行鞄等の荷物に付された電子タグの位置を追跡することで、荷物の位置を追跡する技術が知られている。例えば、特許文献１には、手荷物に取り付けられる電子タグを使用した航空手荷物管理システムが記載されている。特許文献１に記載される航空手荷物管理システムは、荷物の持ち主が出発先空港のチェックインカウンタで荷物を預託すると、電子タグが発行され、預託された荷物に取り付けられる。荷物に取り付けられた電子タグは、航空機に搭載されるとき、爆発物検知装置の検査を受けたとき、空港に到着したとき等に読取装置によって読み取られ、荷物の位置を示す情報が荷物の持ち主が有する携帯端末に逐次通知される。
【先行技術文献】
【特許文献】
【０００３】
【特許文献１】特開２００５−２８９６３４号公報
【発明の概要】
【発明が解決しようとする課題】
【０００４】
また、出発地から到着地に輸送される荷物に無線装置を付して、無線装置が送信する識別子を受信した基地局の位置を示す情報を使用することで、荷物の位置を推定することが可能である。しかしながら、無線装置を荷物に付して使用するとき、無線装置は、無線装置を識別する識別子を送信する通信部に加えて、航空機等により荷物が輸送中であるか否かを検出するセンサ部を要するため、消費電力が大きくなるおそれがある。
【０００５】
本発明は、輸送される荷物に付して使用される無線装置の消費電力を低減可能な技術を提供することを目的とする。
【課題を解決するための手段】
【０００６】
本発明に係る無線装置は、出発地から到着地に輸送される荷物に付すための無線装置であって、荷物が輸送中であるかを推定するための情報を出力するセンサ部と、無線装置を識別する装置識別子を送信する通信部と、到着地に荷物が到着する予定である到着予定時刻より前の時刻であるセンサ起動時刻を記憶するための記憶部と、現在時刻がセンサ起動時刻に一致するとセンサ部を休止状態から動作状態に遷移させ、センサ部から入力された情報から荷物が到着したと推定された場合に通信部を休止状態から動作状態に遷移させる処理部とを有する。
【０００７】
また、本発明に係る無線装置では、通信部は、センサ起動時刻を示す情報を受信し、記憶部は、情報が示すセンサ起動時刻を記憶し、処理部は、通信部が情報を受信したことに応じて、通信部を動作状態から休止状態に遷移させることが好ましい。
【０００８】
また、本発明に係る無線装置では、通信部は、通信可能な周波数を示す報知信号または、報知信号で指示された周波数を基地局から受信し、周波数を使用して装置識別子を送信することが好ましい。
【０００９】
また、本発明に係る無線装置では、センサ部は気圧センサを含み、気圧の変化に基づいて荷物を輸送する航空機の着陸を検出し、着陸の検出に基づいて荷物の到着を推定することが好ましい。
【００１０】
また、本発明に係る無線装置では、センサ部は加速度センサを含み、加速度の変化に基づいて荷物を輸送する航空機の着陸を検出し、着陸の検出に基づいて荷物の到着を推定することが好ましい。
【００１１】
さらに、本発明に係るサーバは、出発地から到着地に輸送される荷物に付される無線装置と、通信可能に接続されるサーバであって、荷物の持ち主の旅程情報と、荷物に付される無線装置の装置識別子と、持ち主の連絡先とを関連付けて記憶するためのサーバ記憶部と、旅程情報に含まれる到着予定時刻に基づいて、到着予定時刻よりも前の時刻であるセンサ起動時刻を生成するサーバ処理部と、センサ起動時刻を、装置識別子により識別される無線装置に宛てて送信するサーバ通信部と、を備え、サーバ通信部は、無線装置から基地局を経由して装置識別子を含む情報を受信し、サーバ処理部は、情報に含まれる基地局の情報に基づいて無線装置の現在地を推定し、サーバ通信部は更に、推定した現在地を連絡先に宛てて送信する。
【００１２】
また、本発明に係るサーバでは、サーバ処理部が推定した無線装置の現在地が、旅程情報に含まれる目的地に略一致している場合に、サーバ通信部は、無線装置に宛てて、通信部を動作状態から休止状態に遷移させる休止指示を送信することが好ましい。
【００１３】
さらに、本発明に係るシステムは、出発地から到着地に輸送される荷物に付すための無線装置と、無線装置と通信可能に接続されるサーバと、を含むシステムであって、サーバは、荷物の持ち主の旅程情報と、荷物に付される無線装置の装置識別子と、持ち主の連絡先とを関連付けて記憶するためのサーバ記憶部と、旅程情報に含まれる到着予定時刻に基づいて、到着予定時刻よりも前の時刻であるセンサ起動時刻を生成するサーバ処理部と、センサ起動時刻を、装置識別子により識別される無線装置に宛てて送信するサーバ通信部とを備え、無線装置は、荷物が輸送中であるかを推定するための情報を出力するセンサ部と、無線装置を識別する装置識別子を送信する無線装置通信部と、到着地に荷物が到着する予定である到着予定時刻より前の時刻であるセンサ起動時刻を記憶するための無線装置記憶部と、現在時刻がセンサ起動時刻に一致するとセンサ部を休止状態から動作状態に遷移させ、センサ部から入力された情報から荷物が到着したと推定された場合に無線装置通信部を休止状態から動作状態に遷移させる無線装置処理部と、を有し、サーバ通信部は、無線装置から基地局を経由して装置識別子を含む情報を受信し、サーバ処理部は、情報に含まれる基地局の情報に基づいて無線装置の現在地を推定し、サーバ通信部は更に、推定した現在地を連絡先に宛てて送信する。
【発明の効果】
【００１４】
本発明に係る無線装置は、輸送される荷物に付して使用されるときに、消費電力を低減することができる。
【図面の簡単な説明】
【００１５】
【図１】（ａ）は実施形態に係る荷物位置検出システムによる荷物位置検出処理の概要を示す図であり、（ｂ）は実施形態に係る無線装置の動作状態を説明するための図である。
【図２】第１実施形態に係る荷物位置検出システムの概略構成を示す図である。
【図３】図２に示す無線装置の機能ブロック図である。
【図４】図２に示すサーバの機能ブロック図である。
【図５】図４に示す発着テーブルの一例を示す図である。
【図６】図４に示す荷物位置検出システムによる荷物位置検出処理を示すシーケンス図である。
【図７】図６に示すセンサ起動情報生成処理を示すフローチャートである。
【図８】第２実施形態に係る荷物位置検出システムの概略構成を示す図である。
【図９】図８に示すサーバの機能ブロック図である。
【図１０】図９に示す発着テーブルの一例を示す図である。
【図１１】図９に示すサーバによる荷物位置検出処理のフローチャートである。
【発明を実施するための形態】
【００１６】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１７】
図１（ａ）は実施形態に係る荷物位置検出システムによる荷物位置検出処理の概要を示す図であり、図１（ｂ）は実施形態に係る無線装置の動作状態を説明するための図である。図１（ｂ）において、ハッチされていない構成素子は動作状態を示し、ハッチされた構成要素は動作状態よりも消費電力が小さい休止状態を示す。
【００１８】
（実施形態に係る荷物位置検出システムの構成）
荷物位置検出システム１は、無線装置２と、サーバ４と、第１基地局５と、第２基地局６とを有する。無線装置２は、出発地である出発空港１１から到着地である到着空港１２に航空機１００で輸送される荷物１０に付される。サーバ４は、無線装置２との間で通信可能なコンピュータ等の電子計算機である。第１基地局５は、出発空港１１の内部又は近傍に配置され、出発空港１１における無線装置２とサーバとの間の通信を中継する。第２基地局６は、到着空港１２の内部又は近傍に配置され、到着空港１２における無線装置２とサーバとの間の通信を中継する。
【００１９】
無線装置２は、通信部２１、センサ部２４、記憶部２５、処理部３０等を有する。通信部２１は、第１基地局５及び第２基地局６等を経由してサーバ４と通信する。センサ部２４は、例えば、気圧を示す気圧情報を出力する気圧センサと、加速度を示す加速度情報を出力する加速度センサとを含む。記憶部２５は、例えば、半導体メモリであり、荷物位置検出処理に使用される種々の情報を記憶する。処理部３０は、例えばＣＰＵであり、荷物位置検出処理に伴う種々の処理を実行する。
【００２０】
（実施形態に係る荷物位置検出システムにおける荷物位置検出処理）
荷物位置検出システム１における荷物位置検出処理では、まず、荷物１０に付された無線装置２の通信部２１は、無線装置２を識別する装置識別子を、第１基地局５を経由してサーバ４に送信する（Ｓ１）。
【００２１】
次いで、サーバ４は、無線装置２から装置識別子を受信すると、荷物１０の持ち主の旅程情報に含まれる到着予定時刻に基づいて、到着予定時刻よりも前の時刻であるセンサ起動時刻を生成する（Ｓ２）。次いで、サーバ４は、Ｓ２の処理で生成したセンサ起動時刻を示す情報を第１基地局５を経由して、無線装置２に宛てて送信する（Ｓ３）。
【００２２】
次いで、通信部２１はセンサ起動時刻を示す情報を受信し、記憶部２５は受信した情報が示すセンサ起動時刻を記憶する。次いで、処理部３０は、通信部２１がセンサ起動時刻を示す情報を受信したことに応じて、通信部２１を動作状態から休止状態に遷移させる（Ｓ４）。処理部３０が通信部２１を動作状態から休止状態に遷移させる。
【００２３】
処理部３０は、現在時刻がセンサ起動時刻に一致するとセンサ部２４を休止状態から動作状態に遷移させる（Ｓ５）。センサ部２４は、処理部３０によって休止状態から動作状態に遷移されると、荷物が輸送中であるかを推定するための情報を出力する。
【００２４】
処理部３０は、センサ部２４から入力された情報から荷物が到着したと推定した場合に通信部２１を休止状態から動作状態に遷移させる（Ｓ６）。処理部３０は、併せて、センサ部２４を動作状態から休止状態へ遷移させる。次いで、通信部２１は、到着空港１２において、無線装置２を識別する装置識別子を示す装置識別子を、第２基地局６を経由してサーバ４に送信する（Ｓ７）。第２基地局６は、サーバ４に装置識別子を送信するときに、第２基地局６を識別する基地局識別子を付加する。
【００２５】
次いで、サーバ４は、無線装置２から第２基地局６を経由して装置識別子を含む情報を受信し、受信した情報に含まれる第２基地局６を識別する基地局識別子等の情報に基づいて無線装置２の現在地を推定する（Ｓ８）。次いで、サーバ４は、Ｓ８の処理で推定した現在地を荷物１０の持ち主の連絡先に宛てて送信する（Ｓ９）。
【００２６】
次いで、サーバ４は、無線装置２の現在地が荷物１０の目的地に略一致しているか否かを判定する（Ｓ１０）。サーバ４は、無線装置２の現在地が荷物１０の目的地に略一致していると判定すると、無線装置２に休止指示を送信する（Ｓ１１）。そして、無線装置２は、休止指示を受信すると、休止状態に遷移する。
【００２７】
（実施形態に係る荷物位置検出システムの作用効果）
センサ部２４を使用せずに到着予定時刻を信頼して、到着予定時刻に通信部２１を休止状態から動作状態に遷移させる場合には、航空機１００が到着予定時刻より遅れて到着空港１２に到着したときに、航空機１００が到着空港１２に到着する前に通信部２１が電波を発する可能性がある。一方、荷物位置検出システム１では、無線装置２は、到着予定時刻に通信部２１を休止状態から動作状態に遷移させるのではなく、到着予定時刻より前の時刻であるセンサ起動時刻にまずはセンサ部２４を休止状態から動作状態に遷移させ、センサ部２４により荷物１０が到着空港１２に到着したと推定された場合に通信部２１を休止状態から動作状態に遷移させる。したがって、荷物位置検出システム１では、航空機１００が到着空港１２に到着する前に、通信のために電波を発するおそれはない。
【００２８】
また、荷物位置検出システム１では、無線装置２は、到着予定時刻よりも前の時刻であるセンサ起動時刻までセンサ部２４を休止状態とするので、航空機１００が飛行中に無線装置２が消費する消費電力が抑制される。また、荷物位置検出システム１では、無線装置２は、センサ部２４により荷物１０が到着空港１２に到着したと推定されるまで通信部２１を休止状態とするので、航空機１００が飛行中に無線装置２が消費する消費電力が更に抑制される。
【００２９】
なお、無線装置２は、センサ起動時刻までセンサ部２４を休止状態とするので、センサ起動時刻よりも早く航空機１００が到着空港１２に到着した場合、センサ部２４が到着空港１２への到着を推定できず、通信部２１を動作状態に遷移できないおそれがある。しかしながら、航空機１００が到着予定時刻よりも前に到着空港１２に到着する可能性は非常に低いので、大きな問題にはならない。
【００３０】
（第１実施形態に係る荷物位置検出システムの構成及び機能）
図２は、第１実施形態に係る荷物位置検出システムの概略構成を示す図である。
【００３１】
荷物位置検出システム１は、無線装置２と、通信端末３と、サーバ４と、第１基地局５と、第２基地局６と、アクセスポイント８とを有する。サーバ４、第１基地局５、第２基地局６及びアクセスポイント８は、インターネット等の通信ネットワーク９を介して相互に接続される。無線装置２は、第１基地局５又は第２基地局６、及び通信ネットワーク９を介してサーバ４と通信し、通信端末３は、アクセスポイント８、通信ネットワーク９を介してサーバ４と通信する。第１基地局５は、出発地である出発空港１１内部又は近傍に配置され、第２基地局６は、到着地である到着空港１２内部又は近傍に配置されている。
【００３２】
図３は、無線装置２の機能ブロック図である。
【００３３】
無線装置２は、通信部２１と、入力部２２と、表示部２３と、センサ部２４と、記憶部２５と、電源部２６と、処理部３０とを有し、荷物１０に付される。
【００３４】
通信部２１は、ＬＰＷＡ（Low Power Wide Area）の一種であるＬｏＲａ、及びＮＢ−ＩｏＴ（Narrow Band-IoT）等の無線の通信インターフェース回路を有し、電源部２６から電力が供給されている間、通信処理が実行可能となる。ＬｏＲａはサブギガ帯と称される周波数帯域を使用する無線通信方式であり、ＮＢ−ＩｏＴは２００ＫＨｚ程度の狭帯域幅の周波数帯を使用する無線通信方式である。通信部２１は、第１基地局５、第２基地局６、通信ネットワーク９等を介してサーバ４等と通信を行う。通信部２１は、サーバ４等から受信したデータを処理部３０に供給する。通信部２１は、処理部３０から供給されたデータをサーバ４等に送信する。通信部２１は電源部２６から電力が供給されている間は動作状態であり、通信部２１は電源部２６から電力が供給されていない間は休止状態である。
【００３５】
入力部２２は、無線装置２の電力供給の開始及び停止が可能であればどのようなデバイスでもよく、例えば、ボタン式スイッチである。入力部２２は、無線装置２の持ち主の押下に応じて、電源部２６から通信部２１〜記憶部２５及び処理部３０への電力供給を開始及び停止する。
【００３６】
表示部２３は、無線装置２の電力供給状態を表示可能であればどのようなデバイスでもよく、例えば、ＬＥＤ（Light Emitting Diode）等である。表示部２３は、電源部２６から通信部２１〜記憶部２５及び処理部３０に電力が供給されるときに点灯し、電源部２６から通信部２１〜記憶部２５及び処理部３０に電力が供給されないときに消灯する。
【００３７】
センサ部２４は、気圧センサ２４１と、加速度センサ２４２とを有する。気圧センサ２４１は、例えば、ピエゾ抵抗方式の気圧センサを有し、電源部２６から電力が供給されている間、検出した気圧を示す気圧情報を荷物が輸送中であるかを推定するための情報として出力する。
【００３８】
加速度センサ２４２は、例えば、３軸の容量式ＭＥＭＳ（Micro Electro Mechanical Systems）加速度センサを有し、電源部２６から電力が供給されている間、検出した加速度を示す加速度情報を荷物が輸送中であるかを推定するための情報として出力する。
【００３９】
記憶部２５は、例えば、半導体メモリである。記憶部２５は、処理部３０による処理に用いられるドライバプログラム、オペレーティングシステムプログラム、アプリケーションプログラム、データ等を記憶する。例えば、記憶部２５は、ドライバプログラムとして、通信部２１を制御する通信デバイスドライバプログラム等を記憶する。また、記憶部２５は、オペレーティングシステムプログラムとして、ＬｏＲａＷＡＮ等の通信方式による接続制御プログラム等を記憶する。また、記憶部２５は、アプリケーションプログラムとして、各種データの送受信を行うデータ処理プログラム等を記憶する。コンピュータプログラムは、例えばＵＳＢメモリ等のコンピュータ読み取り可能な可搬型記録媒体から、公知のセットアッププログラム等を用いて記憶部２５にインストールされてもよい。記憶部２５は、世界各国で使用されている報知信号用の周波数帯を示す情報等を記憶する。
【００４０】
電源部２６は、一例ではコイン型のリチウムイオン電池である電池と、電池から通信部２１〜記憶部２５、処理部３０等に電力を供給する電力供給回路とを有する。電源部２６は、持ち主による入力部２２の押下に応じて、通信部２１〜記憶部２５、処理部３０等に電力を開始及び停止する。
【００４１】
処理部３０は、一又は複数個のプロセッサ及びその周辺回路を有し、無線装置２の全体的な動作を統括的に制御する。処理部３０は、無線装置２の各種処理が記憶部２５に記憶されているプログラム等に応じて適切な手順で実行されるように、通信部２１等の動作を制御する。処理部３０は、記憶部２５に記憶されているプログラム（ドライバプログラム、オペレーティングシステムプログラム、アプリケーションプログラム等）に基づいて処理を実行する。また、処理部３０は、複数のプログラム（アプリケーションプログラム等）を並列に実行できる。
【００４２】
処理部３０は、状態制御部３１と、周波数決定部３２と、情報出力部３３と、到着判定部３４とを有する。これらの各部は、処理部３０上で実行されるプログラムによって実装される機能モジュールである。あるいは、これらの各部は、独立した集積回路、マイクロプロセッサ、又はファームウェアとして無線装置２に実装されてもよい。
【００４３】
通信端末３は、一例では荷物の持ち主が使用するスマートフォン等の通信機器である。通信端末３は、無線ＬＡＮ（Local Area Network）を介してサーバ４に荷物の持ち主の旅程情報を送信し、荷物の現在地をサーバ４から受信し、現在地を表示部に表示する。
【００４４】
図４は、サーバ４の機能ブロック図である。
【００４５】
サーバ４は、サーバ通信部４１と、サーバ記憶部４２と、サーバ処理部４３とを有し、装置識別子及び旅程情報に応じてセンサ起動時刻を示す情報を生成するコンピュータ等の電子計算機である。
【００４６】
サーバ通信部４１は、Ｅｔｈｅｒｎｅｔ等の有線の通信インターフェース回路を有する。サーバ通信部４１は、通信ネットワーク９等を介して、無線装置２、通信端末３等と通信を行い、無線装置２、通信端末３等から受信したデータをサーバ処理部４３に供給する。サーバ通信部４１は、サーバ処理部４３から供給されたデータを無線装置２、通信端末３等に送信する。
【００４７】
サーバ記憶部４２は、例えば、半導体メモリ、磁気ディスク装置、及び光ディスク装置のうちの少なくとも一つを有する。サーバ記憶部４２は、サーバ処理部４３による処理に用いられるドライバプログラム、オペレーティングシステムプログラム、アプリケーションプログラム、データ等を記憶する。
【００４８】
例えば、サーバ記憶部４２は、ドライバプログラムとして、サーバ通信部４１を制御する通信デバイスドライバプログラム等を記憶する。また、サーバ記憶部４２は、オペレーティングシステムプログラムとして、ＴＣＰ／ＩＰ（Transmission Control Protocol / Internet Protocol）等の通信方式による接続制御プログラム等を記憶する。また、サーバ記憶部４２は、アプリケーションプログラムとして、各種データの送受信を行うデータ処理プログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部４２にインストールされてもよい。また、サーバ記憶部４２は、発着テーブル４２１、及び空港名テーブル４２２等の荷物位置検出処理で使用される種々のデータを記憶する。
【００４９】
図５は、発着テーブル４２１の一例を示す図である。
【００５０】
発着テーブル４２１は、荷物の持ち主の連絡先、出発地を識別する出発地識別子、及び出発地を出発する予定時刻である出発予定時刻を、無線装置を識別する装置識別子に関連付けて記憶する。発着テーブル４２１は、到着地を識別する到着地識別子、及び到着地に到着する予定時刻である到着予定時刻、及び荷物を運搬する航空機の遅延情報を、装置識別子に関連付けて更に記憶する。
【００５１】
同一の装置識別子に関連付けられた出発地識別子、出発予定時刻、到着地識別子及び到着予定時刻の組を、旅程情報とも称する。また、同一の装置識別子に関連付けられた旅程情報及び遅延情報の組を、発着情報とも称する。発着テーブル４２１は、装置識別子、荷物の持ち主の連絡先及び発着情報の組の集合によって構成される。
【００５２】
荷物の持ち主の連絡先は、例えば、通信端末３が受信可能な電子メールのアドレス、ＳＭＳ（Short Message Service）による通知のための電話番号等である。出発地識別子は、出発地に配置された基地局を識別する識別子であり、到着地識別子は、到着地に配置された基地局を識別する識別子である。
【００５３】
遅延情報は、荷物を運搬する航空機の飛行予定に遅延が発生しているか否かを示す情報である。遅延情報が「あり」のときは、到着予定時刻に対応する時刻よりも航空機の到着が遅くなることを示す。遅延情報が「なし」のときは、到着予定時刻に対応する時刻の通り航空機が到着することを示す。遅延情報は、航空機のフライト情報を提供するフライトサーバから取得される。遅延情報は、少なくとも１回取得され、１０〜１５分毎に複数回に亘って取得されることが好ましい。また、遅延情報は、遅延情報が「あり」のときに、遅延の程度を示す情報を含んでもよい。
【００５４】
空港名テーブル４２２は、無線装置が出発及び到着する空港の名称である空港名と、空港の内部又は近傍に配置される基地局を識別する基地局識別子に関連付けて記憶する。空港名テーブル４２２は、例えば、出発空港１１の空港名を第１基地局５を識別する基地局識別子に関連付けて記憶し、到着空港１２の空港名を第２基地局６を識別する基地局識別子に関連付けて記憶する。
【００５５】
サーバ処理部４３は、一又は複数個のプロセッサ及びその周辺回路を有する。サーバ処理部４３は、サーバ４の全体的な動作を統括的に制御し、例えば、ＣＰＵである。サーバ処理部４３は、サーバ４の各種処理がサーバ記憶部４２に記憶されているプログラム等に応じて適切な手順で実行されるように、サーバ通信部４１等の動作を制御する。サーバ処理部４３は、サーバ記憶部４２に記憶されているプログラム（ドライバプログラム、オペレーティングシステムプログラム、アプリケーションプログラム等）に基づいて処理を実行する。また、サーバ処理部４３は、複数のプログラム（アプリケーションプログラム等）を並列に実行できる。
【００５６】
サーバ処理部４３は、センサ起動情報生成部４３１と、現在地通知部４３２と、休止指示部４３３とを有する。サーバ処理部４３が有するこれらの各部は、サーバ処理部４３が有するプロセッサ上で実行されるプログラムによって実装される機能モジュールである。あるいは、サーバ処理部４３が有するこれらの各部は、独立した集積回路、マイクロプロセッサ、又はファームウェアとしてサーバ４に実装されてもよい。
【００５７】
第１基地局５及び第２基地局６は、無線装置２から送信される無線パケットをＩＰ（Internet Protocol）パケットに変換してサーバ４に送信し、サーバ４から送信されるＩＰパケットを無線パケットに変換して無線装置２に送信する。第１基地局５及び第２基地局６は、無線装置２から送信される無線パケットをＩＰパケットに変換する際に、それぞれの基地局を識別する基地局識別子をＩＰパケットに含める。第１基地局５及び第２基地局６は、通信可能な周波数を示す報知信号を定期的に同報する。アクセスポイント８は、無線ＬＡＮのアクセスポイントである。
【００５８】
図６は、荷物位置検出システム１による荷物位置検出処理を示すシーケンス図である。図６に示す荷物位置検出処理は、各装置において予め各装置の記憶部に記憶されているプログラムに基づき、主に各装置の処理部により各装置の各要素と協働して実行される。また、第１基地局５及び第２基地局６が定期的に同報する報知信号は、シーケンス図に表示しない。
【００５９】
（サーバ４による荷物の持ち主の旅程情報の取得処理）
まず、通信端末３は、無線装置２が付されて輸送される荷物の持ち主の旅程情報を、無線装置２を識別する装置識別子及び荷物の持ち主の連絡先に関連付けてサーバ４に送信する（Ｓ１０１）。次いで、サーバ通信部４１は、通信端末３から送信された旅程情報を受信し（Ｓ１０２）、サーバ記憶部４２はサーバ通信部４１が受信した旅程情報を記憶する（Ｓ１０３）。Ｓ１０１〜Ｓ１０３の処理は、サーバ４が、無線装置２が付された荷物の持ち主の旅程情報を取得する処理の一例であり、サーバ４は、他の処理により旅程情報を取得してもよい。例えば、サーバ４は、通信端末３からではなく、旅行会社のサーバ等から旅程情報を取得してもよい。
【００６０】
（航空機の離陸までの間の処理）
出発空港１１において荷物の持ち主によって入力部２２が押下されて、電源部２６から記憶部２５及び処理部３０に電力が供給されることに応じて、状態制御部３１は、通信部２１を休止状態から動作状態に遷移する（Ｓ１０４）。状態制御部３１は、通信部２１への電力供給の開始を電源部２６に指示する。電源部２６は、処理部３０からの指示に応じて通信部２１への電力供給を開始する。
【００６１】
次いで、周波数決定部３２は、通信部２１を制御して使用する周波数を変えながら記憶部２５に記憶されている報知信号用の周波数帯をサーチし、報知信号を受信した周波数または、報知信号で指示された周波数を通信部２１が使用する周波数に決定する（Ｓ１０５）。周波数決定部３２は、第１基地局５が送信する報知信号を通信部２１が受信したときに、第１基地局５が送信した報知信号を受信した周波数または、報知信号で指示された周波数を、通信部２１が使用する周波数に決定する。報知信号用の周波数帯をサーチする技術は、よく知られているので、ここでは詳細な説明は省略する。
【００６２】
次いで、情報出力部３３は、装置識別子を示す装置識別子情報を通信部２１に出力し、通信部２１は、Ｓ１０５の処理で決定された周波数を使用して、装置識別子をサーバ４に宛てて第１基地局５に送信する（Ｓ１０６）。
【００６３】
次いで、第１基地局５は、受信した装置識別子に第１基地局５を識別する基地局識別子を付加してサーバ４に送信する（Ｓ１０７）。
【００６４】
次いで、サーバ通信部４１が受信した装置識別子、及び第１基地局５が付加した基地局識別子を受信し（Ｓ１０８）、サーバ記憶部４２は、サーバ通信部４１が受信した装置識別子、及び第１基地局５が付加した基地局識別子を記憶する。次いで、センサ起動情報生成部４３１は、Ｓ１０８の処理で取得された装置識別子及び基地局識別子を使用してセンサ起動情報生成処理を実行して、無線装置２のセンサ部２４を起動するセンサ起動時刻を示す情報を生成する（Ｓ１０９）。センサ起動時刻は、荷物の到着地への到着予定時刻よりも前の時刻である。一例では、センサ起動時刻を示す情報は、現在の時刻とセンサ起動時刻との間の時差に対応する。
【００６５】
次いで、センサ起動情報生成部４３１はセンサ起動時刻を示す情報を無線装置２に宛ててサーバ通信部４１に出力し、サーバ通信部４１はセンサ起動時刻を示す情報を第１基地局５を経由して無線装置２に送信する（Ｓ１１０）。
【００６６】
次いで、通信部２１はＳ１１０の処理でサーバ通信部４１から送信されたセンサ起動時刻を示す情報を受信し（Ｓ１１１）、記憶部２５は通信部２１が受信したセンサ起動時刻を示す情報を記憶する。
【００６７】
次いで、状態制御部３１は、通信部２１がセンサ起動時刻を示す情報を受信したことに応じて、通信部２１を動作状態から休止状態に遷移する（Ｓ１１２）。状態制御部３１は、通信部２１への電力供給の停止を電源部２６に指示する。電源部２６は、処理部３０からの指示に応じて通信部２１への電力供給を停止する。併せて、状態制御部３１は、例えば処理部３０のクロックの周波数を低くする等して、処理部３０を最小限の電力で動作させる休止状態に遷移させる。Ｓ１１２の処理の後、無線装置２が付された荷物は航空機に搭載され、航空機は、無線装置２が付された荷物の輸送するための飛行を開始する。状態制御部３１は、タイマを有し、センサ起動時刻を示す情報に対応する時間に現在時刻が一致するまでの時間を計時する。
【００６８】
（航空機の離陸から着陸までの間の処理）
状態制御部３１は、センサ起動時刻を示す情報に対応する時間が経過して、現在時刻がセンサ起動時刻に一致すると、センサ部２４を休止状態から動作状態に遷移させる（Ｓ１１３）。状態制御部３１は、気圧センサ２４１及び加速度センサ２４２を有するセンサ部２４への電力供給の開始を電源部２６に指示する。電源部２６は、処理部３０からの指示に応じて気圧センサ２４１及び加速度センサ２４２への電力供給を開始する。気圧センサ２４１及び加速度センサ２４２のそれぞれは、気圧情報及び加速度情報の出力を開始する。併せて、状態制御部３１は、処理部３０を休止状態から動作状態に遷移させる。併せて、状態制御部３１は、処理部３０を動作状態に遷移させる。
【００６９】
次いで、到着判定部３４は、センサ部２４から入力される気圧情報及び加速度情報から荷物の到着を推定する（Ｓ１１４）。到着判定部３４は、例えば、センサ部２４から入力される加速度情報から算出される速度、及びセンサ部２４から入力される気圧情報から算出される高度の双方が所定のしきい値未満のときに、荷物が到着したと推定する。また、到着判定部３４は、センサ部２４から入力される気圧情報に対応する気圧及び加速度に対応する加速度の経時的変化と、予め記憶した航空機の着陸時の気圧及び加速度の経時的変化が双方共に一致すると判定したときに、荷物が到着したと推定してもよい。一方、到着判定部３４は、例えば、加速度から算出される速度及び気圧から算出される高度の双方が所定のしきい値以上のときに、荷物が到着していないと推定する。また、到着判定部３４は、気圧及び加速度の経時的変化と、予め記憶した航空機の着陸時の気圧及び加速度の経時的変化の何れかが一致しないと推定したときに、荷物が到着地に到着していないと推定してもよい。到着判定部３４は、荷物が到着地に到着していないと推定すると、センサ部２４及び処理部３０を動作状態から休止状態に遷移させる。到着判定部３４は、荷物が到着地に到着していないと推定してから所定の期間が経過した後に、休止状態から動作状態に遷移させて無線装置２が付された荷物の到着を再度推定する。
【００７０】
（航空機の着陸後の処理）
到着判定部３４が荷物が到着地に到着したと推定すると、状態制御部３１は、通信部２１を休止状態から動作状態に遷移する（Ｓ１１５）。状態制御部３１は、通信部２１への電力供給の開始を電源部２６に指示する。電源部２６は、処理部３０からの指示に応じて通信部２１への電力供給を開始する。併せて、状態制御部３１は、センサ部２４を動作状態から休止状態に遷移する。状態制御部３１は、センサ部２４への電力供給の停止を電源部２６に指示する。電源部２６は、処理部３０からの指示に応じて通信部２１への電力供給を停止する。
【００７１】
次いで、周波数決定部３２は、通信部２１を制御して使用する周波数を変化させながら記憶部２５に記憶されている報知信号用の周波数帯をサーチし、報知信号を受信した周波数を通信部２１が使用する周波数に決定する（Ｓ１１６）。周波数決定部３２は、第２基地局６が送信する報知信号を通信部２１が受信したときに、第２基地局６が送信した報知信号を受信した周波数を、通信部２１が使用する周波数に決定する。第２基地局６が送信する報知信号を通信部２１が受信しながったとき、状態制御部３１は、通信部２１及びセンサ部２４を動作状態から休止状態に遷移する。Ｓ１１３〜Ｓ１１６の処理は、第２基地局６が送信する報知信号を通信部２１が受信するまで、繰り返される。
【００７２】
周波数決定部３２が通信部２１が使用する周波数を決定する（Ｓ１１６）と、情報出力部３３は装置識別子を示す装置識別子を通信部２１に出力し、通信部２１は装置識別子をサーバ４に宛てて第２基地局６に送信する（Ｓ１１７）。そして、状態制御部３１は、通信部２１〜記憶部２５及び処理部３０への電力供給の停止を電源部２６に指示する。電源部２６は、処理部３０からの指示に応じて通信部２１への電力供給を停止する。
【００７３】
次いで、第２基地局６は、受信した装置識別子に第２基地局６を識別する基地局識別子を付加してサーバ４に送信する（Ｓ１１８）。
【００７４】
次いで、サーバ通信部４１が受信した装置識別子、及び第２基地局６が付加した基地局識別子を受信し（Ｓ１１９）、サーバ記憶部４２は、サーバ通信部４１が受信した装置識別子、及び第２基地局６が付加した基地局識別子を記憶する。
【００７５】
次いで、現在地通知部４３２は、Ｓ１１９の処理で受信した情報に含まれる第２基地局６の情報に基づいて無線装置２の現在地を推定する（Ｓ１２０）。現在地通知部４３２は、空港名テーブル４２２を参照して、Ｓ１１９の処理で受信した情報に含まれる第２基地局６の基地局識別子に関連付けられた空港名を現在地として推定する。
【００７６】
次いで、現在地通知部４３２はＳ１２０の処理で現在地であると推定した空港名を現在地として通信端末３に宛ててサーバ通信部４１に出力し、サーバ通信部４１は現在地を持ち主の連絡先である通信端末３に送信する（Ｓ１２１）。現在地通知部４３２は、無線装置２の装置識別子に関連付けられた連絡先である通信端末３の電子メールのアドレス等を抽出して、現在地を通信端末３に宛ててサーバ通信部４１に出力する。サーバ通信部４１は、現在地通知部４３２から入力された連絡先に対応する通信端末３に宛てて現在地を送信する。そして、通信端末３は、Ｓ１２１の処理でサーバ通信部４１から送信された現在地を受信し（Ｓ１２２）、受信した現在地を表示する。
【００７７】
次いで、休止指示部４３３は、現在地通知部４３２が推定した無線装置２の現在地が、発着テーブル４２１の旅程情報に含まれる目的地に略一致しているか否かを判定する（Ｓ１２３）。休止指示部４３３は、発着テーブル４２１を参照して、Ｓ１１９の処理で受信した情報に含まれる基地局識別子と、無線装置２を識別する装置識別子に関連付けられた到着地識別子とが一致するか否かを判定する。休止指示部４３３は、受信した情報に含まれる基地局識別子と到着地識別子とが一致するとき、無線装置２の現在地が目的地に略一致していると判定する。休止指示部４３３は、受信した情報に含まれる基地局識別子と到着地識別子とが一致しないとき、無線装置２の現在地が目的地に略一致してしないと判定する。
【００７８】
休止指示部４３３は、無線装置２の現在地が目的地に略一致していると判定する（Ｓ１２３）と、無線装置２を休止状態とすることを示す休止指示を無線装置２に宛ててサーバ通信部４１に出力する。サーバ通信部４１は、休止指示を通信端末３に送信する（Ｓ１２４）。次いで、通信部２１はＳ１２４の処理でサーバ通信部４１から送信された休止指示を受信する（Ｓ１２５）。
【００７９】
状態制御部３１は、通信部２１が休止指示を受信したことに応じて、無線装置２を動作状態から休止状態に遷移させる（Ｓ１２６）。状態制御部３１は、通信部２１への電力供給の停止を電源部２６に指示する。電源部２６は、処理部３０からの指示に応じて通信部２１への電力供給を停止する。併せて、状態制御部３１は、処理部３０を休止状態に遷移させる。
【００８０】
図７は、Ｓ１０９のセンサ起動情報生成処理を示すフローチャートである。
【００８１】
まず、センサ起動情報生成部４３１は、発着テーブル４２１を参照して、Ｓ１０８の処理で取得された装置識別子に関連付けられ、且つ出発地識別子が基地局識別子に一致する発着情報から遅延情報を抽出する（Ｓ２０１）。次いで、センサ起動情報生成部４３１は、Ｓ２０１で抽出された遅延情報が「あり」又は「なし」の何れかであるかを判定する（Ｓ２０２）。
【００８２】
センサ起動情報生成部４３１は、遅延情報が「なし」であると判定する（Ｓ２０２−ＮＯ）と、発着テーブル４２１を参照して、Ｓ１０７の処理で取得された装置識別子及び基地局識別子に関連付けられた到着予定時刻を抽出する（Ｓ２０３）。次いで、センサ起動情報生成部４３１は、到着予定時刻の前の時刻であるセンサ起動時刻を決定する（Ｓ２０４）。そして、センサ起動情報生成部４３１は、センサ起動時刻を示す情報を生成する（Ｓ２０５）。センサ起動情報生成部４３１は、現在の時刻とセンサ起動時刻との間の時差をセンサ起動時刻を示す情報として生成する。
【００８３】
センサ起動情報生成部４３１は、遅延情報が「あり」であると判定する（Ｓ２０２−ＹＥＳ）と、「０」を示す情報を生成する（Ｓ２０６）。「０」を示す情報は、現在の時刻とセンサ起動時刻との間の時差が０秒である、すなわち現在の時刻とセンサ起動時刻との間の時差がないことを示す。センサ起動情報生成部４３１によって「０」を示す情報が生成される（Ｓ２０６）と、無線装置２は、通信部２１を動作状態から休止状態に遷移した（Ｓ１１２）直後に、センサ部２４を休止状態から動作状態に遷移する（Ｓ１１３）。
【００８４】
（第２実施形態に係る荷物位置検出システムの構成及び機能）
図８は、第２実施形態に係る荷物位置検出システムの概略構成を示す図である。荷物位置検出システム２は、無線装置２が付された荷物が出発空港１１と到着空港１２との間で中継空港１３で航空機を乗り継ぐときに、無線装置２から受信した旅程情報に基づいて、到着空港１２まで、荷物位置検出処理を繰り返し実行する。
【００８５】
荷物位置検出システム２は、第３基地局７を更に有することが荷物位置検出システム１と相違する。また、荷物位置検出システム１と相違する。荷物位置検出システム２は、サーバ１０４がサーバ４の代わりに配置されることが荷物位置検出システム１と相違する。第３基地局７は、第１基地局５及び第２基地局６と同様に、中継空港１３の内部又は近傍に配置され、中継空港１３における無線装置２とサーバとの間の通信を中継する。
【００８６】
図９は、サーバ１０４の機能ブロック図である。
【００８７】
サーバ１０４は、サーバ１０４は、サーバ記憶部４４及びサーバ処理部４５をサーバ記憶部４２及びサーバ処理部４３の代わりに有することがサーバ４と相違する。サーバ通信部４１の構成及び機能は、既に説明したので、ここでは詳細な説明は省略する。
【００８８】
サーバ記憶部４４は、発着テーブル４４１を発着テーブル４２１の代わりに記憶することがサーバ記憶部４２と相違する。発着テーブル４４１以外のサーバ記憶部４４の構成要素の構成及び機能は、同一符号が付されたサーバ記憶部４２の構成要素の構成及び機能と同様なので、ここでは詳細な説明は省略する。
【００８９】
図１０は、発着テーブル４４１の一例を示す図である。
【００９０】
発着テーブル４４１は、発着情報に関連付けて乗継情報を記憶する点が、発着テーブル４２１と相違する。発着テーブル４４１において、乗継情報以外の構成は、発着テーブル４２１の構成と同一であるため、ここでは詳細な説明を省略する。
【００９１】
乗継情報は、装置識別子で識別される荷物が、発着情報に記憶された到着地識別子で識別される到着地から、更に別の到着地へ運搬される予定を示す情報である。乗継情報は、乗り継ぎ行程における旅程情報及び遅延情報の組から構成される。乗継情報における旅程情報、遅延情報、出発地識別子、出発予定時刻、到着地識別子及び到着予定時刻は、それぞれ第２旅程情報、第２遅延情報、第２出発地識別子、第２出発予定時刻、第２到着地識別子及び第２到着予定時刻と称される。
【００９２】
サーバ処理部４５は、乗継処理部４５１を有することがサーバ処理部４３と相違する。乗継処理部４５１以外のサーバ処理部４５の構成要素の構成及び機能は、同一符号が付されたサーバ処理部４３の構成要素の構成及び機能と同様なので、ここでは詳細な説明は省略する。
【００９３】
図１１は、サーバ１０４による荷物位置検出処理のフローチャートである。
【００９４】
Ｓ３０１〜Ｓ３０８の処理は、Ｓ１０１〜Ｓ１０２、Ｓ１０８〜Ｓ１１０及びＳ１１９〜Ｓ１２１の処理と同様なので、ここでは詳細な説明を省略する。サーバ通信部４１は現在地を通信端末３に送信する（Ｓ３０８）と、乗継処理部４５１は、無線装置２を識別する装置識別子に関連付けられた荷物検出処理が未処理の乗継情報があるか否かを判定する（Ｓ３０９）。乗継処理部４５１は、発着テーブル４４１において、無線装置２を識別する装置識別子に関連付けられた乗継情報がないとき、荷物検出処理が未処理の乗継情報がないと判定する（Ｓ３０９−ＮＯ）。また、乗継処理部４５１は、発着テーブル４４１において、無線装置２を識別する装置識別子に関連付けられた全ての乗継情報について荷物検出処理を実行したとき、荷物検出処理が未実行の乗継情報がないと判定する（Ｓ３０９−ＮＯ）。乗継処理部４５１によって荷物検出処理が未実行の乗継情報がないと判定する（Ｓ３０９−ＮＯ）と、処理は終了する。
【００９５】
乗継処理部４５１によって荷物検出処理が未処理の乗継情報があると判定される（Ｓ３０９−ＹＥＳ）と、処理はＳ３０４に戻る。以降、乗継処理部４５１によって荷物検出処理が未処理の乗継情報があると判定される（Ｓ３０９−ＹＥＳ）まで、Ｓ３０３〜Ｓ３０９の処理が繰り返される。そして、乗継処理部４５１によって荷物検出処理が未処理の乗継情報がないと判定する（Ｓ３０９−ＮＯ）と、状態制御部３１は、Ｓ１２３の処理と同様に、無線装置２を休止状態とすることを示す休止指示を無線装置２に宛ててサーバ通信部４１に出力する。
【００９６】
（実施形態に係る荷物位置検出システムの変形例）
荷物位置検出システム１は、電力供給を停止することで、通信部２１及びセンサ部２４を休止状態に遷移するが、実施形態に係る荷物位置検出システムは、他の態様により消費電力を低減して、通信部２１及びセンサ部２４を休止状態に遷移してもよい。例えば、実施形態に係る荷物位置検出システムは、通信部２１及びセンサ部２４のクロックの動作を停止することで、通信部２１及びセンサ部２４を休止状態に遷移してもよい。
【００９７】
また、荷物位置検出システム１では、センサ部２４は、現在時刻がセンサ起動時刻に一致したときに動作状態に遷移した後に、荷物が目的地に到着するまで、動作状態を維持する。しかしながら、実施形態に係る荷物位置検出システムでは、センサ部２４は、現在時刻がセンサ起動時刻に一致したときに動作状態に遷移した後から所定期間経過後に、休止状態に遷移してもよい。センサ部２４が所定期間経過後に休止状態に遷移することで、センサ部２４が無用な動作をすることにより電力が消費されることを防止できる。
【００９８】
また、荷物位置検出システム１では、無線装置２は、荷物の持ち主によって入力部２２が押下されることにより電力供給が開始されるが、実施形態に係る荷物位置検出システムでは、無線装置は、自動的に電力供給が開始されてもよい。例えば、無線装置２が付される荷物が航空機の荷室に預入されるスーツケースに付される場合、無線装置２は、スーツケースの横倒による９０°回転、及びスーツケースの横倒後のベルトコンベアによる搬送を検知したことに応じて、電力供給が開始されてもよい。スーツケースの横倒は、加速度センサ２４２が検出した加速度に基づいて判定される。また、ベルトコンベアによる搬送は、加速度センサ２４２が検出した加速度から演算される移送速度が所定の期間に亘って所定の速度範囲に入っているか否かにより判定される。
【００９９】
また、荷物位置検出システム１では、センサ部２４は気圧センサ２４１及び加速度センサ２４２を有するが、実施形態に係る荷物位置検出システムでは、センサ部は気圧センサ２４１及び加速度センサ２４２の何れか一方を有していればよい。
【０１００】
また、荷物位置検出システム１では、センサ起動時刻を示す情報は、現在の時刻とセンサ起動時刻との間の時差であるが、実施形態に係る荷物位置検出システムでは、センサ起動時刻を示す情報は、センサ起動時刻であってもよい。
【０１０１】
また、荷物位置検出システム１では、荷物１０が目的地に到着したかを推定する推定処理は、処理部３０が実行するが、実施形態に係る荷物位置検出システムでは、荷物１０が目的地に到着したかを推定する推定処理は、センサ部が実行してもよい。例えば、センサ部は気圧センサを含み、気圧の変化に基づいて荷物を輸送する航空機の着陸を検出し、着陸の検出に基づいて荷物の到着を推定してもよい。また、センサ部は加速度センサを含み、加速度の変化に基づいて荷物を輸送する航空機の着陸を検出し、着陸の検出に基づいて荷物の到着を推定してもよい。
【０１０２】
また、荷物位置検出システム１は、航空機により輸送される荷物の位置を検出するが、実施形態に係る荷物位置検出システムは、貨物列車等の列車、船舶、及びトラック等の車両の他の輸送手段により輸送される荷物、貨物及びコンテナの位置を検出してもよい。
【符号の説明】
【０１０３】
１    荷物位置検出システム
２    無線装置
３    通信端末
４、１０４    サーバ
２１    通信部（無線装置通信部）
２４    センサ部
３０    処理部（無線装置処理部）
４１    サーバ通信部
４２、４４    サーバ記憶部
４３、４５    サーバ処理部
【図１】
2020021420.tif 000003
【図２】
2020021420.tif 000004
【図３】
2020021420.tif 000005
【図４】
2020021420.tif 000006
【図５】
2020021420.tif 000007
【図６】
2020021420.tif 000008
【図７】
2020021420.tif 000009
【図８】
2020021420.tif 000010
【図９】
2020021420.tif 000011
【図１０】
2020021420.tif 000012
【図１１】
2020021420.tif 000013